(57)【要約】【課題】  応答パケットが二重に返送されることなく、無線リンクで発生するデータロスに対する再送区間を無線リンクの終端点間とする。【解決手段】  無線端末，基地局、基地局制御装置、ＩＰノードを備える無線ネットワークシステムであって、無線端末アプリケーションプログラムがインターネットを介して接続されるアプリケーションサーバにデータダウンロード要求を送る時に、無線端末の変換プログラムを利用して、ＴＣＰに対する命令を無線リンク制御層のサービスプリミティブのデータパラメータに入力して送信し、基地局の変換プログラムが無線リンク制御層のサービスプリミティブで受信するデータパラメータから取り出したＴＣＰに対する命令を、基地局のＴＣＰプログラムに対する命令として使用することを特徴とする。【選択図】  図６
2008098878.tif 000002
【特許請求の範囲】
【請求項１】
無線端末、無線基地局、基地局制御装置及びＩＰノードを備える無線ネットワークシステムであって、
前記無線端末は、前記無線端末のアプリケーション処理からＴＣＰ処理への命令を無線リンクの転送プロトコルを使って前記無線基地局に転送し、
前記無線基地局は、前記無線リンクの転送プロトコルで転送された前記命令を前記無線基地局のＴＣＰ処理への命令として入力し、
前記無線基地局は、前記無線基地局のＴＣＰ処理からアプリケーション処理への応答を前記無線リンクの転送プロトコルを使って前記無線端末に転送し、
前記無線端末は、前記無線リンクの転送プロトコルで転送された前記応答を前記無線端末のアプリケーション処理への応答として入力することを特徴とする無線ネットワークシステム。
【請求項２】
前記無線端末は、前記無線端末のアプリケーション処理からＴＣＰ処理への命令を前記無線端末の無線リンク制御処理の上位プロトコルインタフェースを介して前記無線端末の無線リンクの転送処理に入力し、
前記無線基地局は、前記無線リンクの転送プロトコルで転送された前記命令を前記無線基地局の無線リンク制御処理の上位プロトコルインタフェースを介して前記無線基地局のＴＣＰ処理に入力し、
前記無線基地局は、前記無線基地局のＴＣＰ処理からアプリケーション処理への応答を前記無線基地局の無線リンク制御処理の上位プロトコルインタフェースを介して前記無線基地局の無線リンクの転送処理に入力し、
前記無線端末は、前記無線リンクの転送プロトコルで転送された前記応答を前記無線端末の無線リンク制御処理の上位プロトコルインタフェースを介して前記無線端末のアプリケーション処理に入力することを特徴とする請求項１に記載の無線ネットワークシステム。
【請求項３】
前記無線基地局は、前記無線基地局の無線リンク制御処理で使われる端末ＩＤとＴＣＰ処理で使われるセッションＩＤとを対応付けて記憶し、
前記無線基地局は、前記無線リンクの転送プロトコルで転送された前記命令を前記無線基地局のＴＣＰ処理の命令として入力する時に、前記端末ＩＤと対応付けられた前記セッションＩＤを読み出して該セッションＩＤ単位に前記命令データを前記無線基地局のＴＣＰ処理に入力し、
前記無線基地局は、前記無線基地局のＴＣＰ処理からアプリケーション処理への応答を前記無線基地局の無線リンク制御処理に入力する時に、前記セッションＩＤと対応付けられた前記端末ＩＤを読み出して該端末ＩＤ単位に前記応答とデータを前記無線基地局の無線リンク制御処理に入力することを特徴とする請求項１に記載の無線ネットワークシステム。
【請求項４】
前記端末ＩＤは、ＭＡＣレイヤのＳＨＣＣＨで運ばれるＵＥｉｄｅｎｔｉｆｉｃａｔｉｏｎ情報であることを特徴とする請求項３に記載の無線ネットワークシステム。
【請求項５】
前記セッションＩＤは、ＴＣＰ処理の応答に含まれるローカルポート番号であることを特徴とする請求項３に記載の無線ネットワークシステム。
【請求項６】
無線端末、基地局、基地局制御装置及びＩＰノードを備える無線ネットワークシステムにおけるアプリケーションインタフェース制御方法であって、
前記無線端末は、前記無線端末のアプリケーション処理からＴＣＰ処理への命令を前記無線端末の無線リンク制御処理の上位プロトコルインタフェースを介して前記無線端末の無線リンクの転送処理に入力し、
前記無線基地局は、無線リンクの転送プロトコルで転送された前記命令を前記無線基地局の無線リンク制御処理の上位プロトコルインタフェースを介して前記無線基地局のＴＣＰ処理に入力し、
前記無線基地局は、前記無線基地局のＴＣＰ処理からアプリケーション処理への応答を前記無線基地局の無線リンク制御処理の上位プロトコルインタフェースを介して前記無線基地局の無線リンクの転送処理に入力し、
前記無線端末は、前記無線リンクの転送プロトコルで転送された前記応答を前記無線端末の無線リンク制御処理の上位プロトコルインタフェースを介して前記無線端末のアプリケーション処理に入力することを特徴とするアプリケーションインタフェース制御方法。
【発明の詳細な説明】
【技術分野】
【０００１】
本発明は、無線ネットワークを利用して端末がアプリケーションサーバからデータをダウンロードするシステムに関し、ダウンロードデータの再送制御技術に関する。
【背景技術】
【０００２】
無線ネットワークシステムを利用して端末がＷｅｂサーバからデータをダウンロードする場合、ＨＴＴＰがセッション層のプロトコルとして前提とするＴＣＰをデータ転送に使用する。有線リンクに比べて伝送エラーレートの高い無線リンクを含むデータ転送区間でＴＣＰを使用する場合の第一の問題点は、伝送エラーによるセグメント（注：セグメントはＴＣＰのデータ転送の単位の名称）ロスが誤って輻輳と解釈され、ＴＣＰの輻輳制御が働いてスループットが無駄に低下することである。この第一の問題点に対して、ＴＣＰの輻輳制御の働きを鈍感にすることにより対処するアーキテクチャが開示されている（例えば、非特許文献１参照。）。このアーキテクチャでは端末とＷｅｂサーバの間にＷＡＰゲートウエイ（ＷＡＰ２．０ではＷＡＰプロキシと呼ばれる）を設け、ＷＡＰ２．０ではＷＡＰゲートウエイでＴＣＰとｗ−ＴＣＰを変換する。ｗ−ＴＣＰは、端末とＷＡＰゲートウエイ間のＴＣＰと類似のプロトコルで、無線用のプロトコルプロファイルを持つ。無線用のプロファイルは、輻輳制御の働きが鈍感になるような値を輻輳制御のパラメータに与えるプロファイルである。
【０００３】
また、無線ネットワークとして携帯電話網を利用したシステムにおけるＷＡＰゲートウエイの設置位置が開示されている（例えば、特許文献１図７参照。）。携帯電話網を利用したシステムでは、ＷＡＰゲートウエイが携帯電話網とインターネットの間に設置される。このＷＡＰゲートウエイが携帯電話網とインターネットの間に設置される構成では、無線リンクで発生したセグメントロスを検出すると、端末とＷＡＰゲートウエイ間でｗ−ＴＣＰによる再送が行われる。
【０００４】
一方、上記第一の問題点に対して、伝送エラーによるセグメントロスを減らすようにエラー訂正と再送を同時に処理する再送制御方式であるＨＡＲＱ（Hybrid Automatic Repeat reQuest）方式をＭＡＣレイヤに持つ無線リンク制御プロトコルが検討されている（例えば，非特許文献２参照）。これにより伝送エラーによるセグメントロスが誤って輻輳状態として検出される確率は下がる。また、無線リンクでの転送スループットも向上する。
ＷＡＰゲートウエイを携帯電話網とインターネットの間に設置する従来の構成では、無線リンクで発生したデータロスに対して、本来再送すべき区間である端末と基地局間ではなく端末とＷＡＰゲートウエイ間でセグメント再送が起こり、基地局とＷＡＰゲートウエイ間に無駄なトラフィックが流れる第二の問題点があった。この第二の問題点を解決する再送制御方法として、再送制御のための応答パケットを、パケットを受信した無線区間の終端点である無線通信装置が無線端末に代わって返送する方法が開示されている（特許文献２参照）。
【０００５】
【特許文献１】特開２００４−２０１２０１号公報
【特許文献２】特開２００１−１５６８７７号公報
【非特許文献１】Wireless Application Protocol Architecture Specification,WAP-210-WAPArch-20010712.
【非特許文献２】3rd Generation Partnership Project;Technical Specification Group Radio Access Network;Radio Link Control (RLC) protocol specification (Release 7).
【発明の開示】
【発明が解決しようとする課題】
【０００６】
特許文献２では、再送制御のための応答パケットを、パケットを受信した無線区間の終端点である無線通信装置が無線端末に代わって返送して、上記第二の問題点を解決している。しかしながら特許文献２には端末でのＴＣＰ処理に関する記述がなく、従来通りの動作をすると解釈せざるを得ないため、パケットを受信した端末も応答パケットを返送すると解釈せざるを得ず、無線通信装置と無線端末の双方から応答パケットが返送される問題があった。
【０００７】
本発明は、この問題点に鑑みてなされたものであり、応答パケットが二重に返送されることなく、無線リンクで発生するデータロスに対する再送区間を無線リンクの終端点間とすることを目的とする。
【課題を解決するための手段】
【０００８】
本発明の代表的な実施の形態は、無線端末，基地局、基地局制御装置、ＩＰノードを備える無線ネットワークシステムであって、無線端末アプリケーションプログラムがインターネットを介して接続されるアプリケーションサーバにデータダウンロード要求を送る時に、無線端末の変換プログラムを利用して、ＴＣＰに対する命令を無線リンク制御層のサービスプリミティブのデータパラメータに入力して送信し、基地局の変換プログラムが無線リンク制御層のサービスプリミティブで受信するデータパラメータから取り出したＴＣＰに対する命令を、基地局のＴＣＰプログラムに対する命令として使用することを特徴とする。
【発明の効果】
【０００９】
本発明の代表的な実施の形態によると、無線リンクで発生するデータロスに対する再送が無線端末と基地局間の無線リンク制御層で起こるのみで、基地局とアプリケーションサーバ間で動作するＴＣＰレイヤではセグメント再送されず、再送区間が無線リンクの終端点間に最適化される。
【発明を実施するための最良の形態】
【００１０】
本発明の実施の形態を、図面を参照して説明する。
【００１１】
図１は、無線ネットワークシステムおよびインターネットを介して接続されるアプリケーションサーバのブロック図である。
【００１２】
無線ネットワークシステム１００は、無線端末１０、基地局２０、基地局制御装置３０、ＩＰノード４０を備える。ＩＰノード４０は、インターネット２００を介してアプリケーションサーバ６０と接続される。
【００１３】
図２は、図１のシステムでデータを転送するためのアーキテクチャを示すプロトコルスタック図である。無線端末１０のプロトコルスタック５１０は、上位からＡＰＬ（アプリケーション処理）、ＭＡＰＡ（変換処理Ａ）、ＲＬＣ（無線リンク制御）、ＭＡＣ（メディアアクセス制御）、ＰＨＹ（物理レイヤ処理）の各レイヤから構成される。基地局２０のプロトコルスタック５２０は、その無線端末１０側が、ＭＡＰＢ（変換処理Ｂ）、ＲＬＣ、ＭＡＣ、ＰＨＹの各レイヤで構成される。また、その基地局制御装置３０側が、ＴＣＰ、ＩＰ、Ｌ２（既存のレイヤ２プロトコル処理）、Ｌ１（既存のレイヤ１プロトコル処理）の各レイヤで構成される。基地局制御装置３０のプロトコルスタック５３０、ＩＰノード４０のプロトコルスタック５４０、およびインターネット２００を構成するルータ５０のプロトコルスタック５５０は、いずれもＩＰ、Ｌ２、Ｌ１の各レイヤで構成される。アプリケーションサーバ６０のプロトコルスタック５６０は、ＡＰＬ、ＴＣＰ、ＩＰ、Ｌ２、Ｌ１で構成される。
【００１４】
図３は、図２のアーキテクチャで、無線区間である無線端末１０と基地局２０の間でデータロスが発生した場合の再送シーケンスの一例図である。アプリケーションサーバ６０のＴＣＰ処理６６０はダウンロードデータの一部をＴＣＰ ＰＤＵ（データ）として基地局２０のＴＣＰ処理６２０Ａに既存の方法で転送する。ＴＣＰ処理６２０Ａは、応答としてＴＣＰ ＰＤＵ（ＡＣＫ）をアプリケーションサーバ６０のＴＣＰ処理６６０に既存の方法で転送する。更に、ＴＣＰ処理６２０Ａは、後ほど図８で説明する変換処理によりＲＬＣ処理６２０Ｂに受信データを渡す。ＲＬＣ処理６２０Ｂは受信データの一部をＡＭＤ ＰＤＵ１として基地局１０のＲＬＣ処理６１０に既存の方法で転送する。同様に、ＡＭＤ ＰＤＵ２、ＡＭＤ ＰＤＵ３を送信するが、ＡＭＤ ＰＤＵ２のロスが発生し、これを既存の方法で検出したＲＬＣ処理６１０は、ＲＬＣ処理６２０ＢにＳＴＡＴＵＳ ＰＤＵを送信してデータロスを通知する。データロスを通知されたＲＬＣ処理６２０Ｂは既存の方法で、ＡＭＤ ＰＤＵ２を再送する。
【００１５】
図４、図５、図６は本発明の変換処理を説明するための補足図である。
【００１６】
図４はＡＰＬとＴＣＰの間のインタフェース規定図である。このインタフェースはアプリケーション処理からＴＣＰ処理への命令７００及びＴＣＰ処理からアプリケーション処理への応答７１０で構成される。命令７００及び応答７１０は、例えばＵＮＩＸ（登録商標）のシステムコールやＷｉｎｄｏｗｓ（登録商標）のＡＰＩで規定されているＴＣＰのクライアント側のインタフェースで、ＴＣＰコネクション生成命令及び成功／失敗応答、ＴＣＰコネクション接続命令及び成功／失敗応答、データ受信命令及び完了／不完了応答、データ送信命令及び完了／不完了応答、ＴＣＰコネクション削除命令及び成功／失敗応答である。
【００１７】
図５は対向するプロトコルエンティティ間が通信をして隣接する上位プロトコルエンティティにサービスを提供するプリミティブ規定図である。対象レイヤＬＮのプロトコルエンティティが隣接上位レイヤのプロトコルエンティティに提供するサービスプリミティブは、その処理の流れの順番に、ＬＮ−＊−Ｒｅｑｕｅｓｔ１０００、ＬＮ−＊−Ｉｎｄｉｃａｔｉｏｎ１０１０、ＬＮ−＊−Ｒｅｓｐｏｎｓｅ１０２０およびＬＮ−＊−Ｃｏｎｆｉｒｍａｔｉｏｎ１０３０の四種類から成る。
【００１８】
図６は無線端末１０のプロトコルスタック５１０における命令７０１及び応答７１１の規定位置と基地局２０のプロトコルスタック５２０における命令７０２及び応答７１２の規定位置を示す図である。命令７０１及び命令７１２は、命令７０１と同一内容であり、応答７１１及び応答７１２は、応答７１２と同一内容である。
【００１９】
図７は本発明の変換処理Ａのインタフェース規定図である。変換処理Ａ１はアプリケーションの命令７０１を入力とし、ＲＬＣのＲＬＣ−ＡＭ−ＤＡＴＡ−Ｒｅｑ．プリミティブ７２０を出力とする。プリミティブ７２０のパラメータのうちＤａｔａパラメータを変換処理に使用する。変換処理Ａ２は、ＲＬＣのＲＬＣ−ＡＭ−ＤＡＴＡ−Ｃｏｎｆ．およびＲＬＣ−ＡＭ−ＤＡＴＡ−Ｉｎｄ．プリミティブ７３０を入力とし、アプリケーションへの応答７１１を出力とする。プリミティブ７３０のパラメータのうちＳＴＡＴＵＳ、ＭＵＩ、Ｄａｔａ、Ｄｉｓｃａｒｄｉｎｆｏパラメータを変換処理に使用する。図８は本発明の変換処理Ｂのインタフェース規定図である。変換処理Ｂ１はＴＣＰ処理からの応答７１２を入力とし、ＲＬＣのＲＬＣ−ＡＭ−ＤＡＴＡ−Ｒｅｑ．プリミティブ７４０を出力とする。プリミティブ７４０のパラメータのうちＤａｔａパラメータを変換処理に使用する。変換処理Ｂ２は、ＲＬＣのＲＬＣ−ＡＭ−ＤＡＴＡ−Ｃｏｎｆ．およびＲＬＣ−ＡＭ−ＤＡＴＡ−Ｉｎｄ．プリミティブ７５０を入力とし、ＴＣＰへの命令７０２を出力とする。プリミティブ７５０のパラメータのうちＳＴＡＴＵＳ、ＭＵＩ、Ｄａｔａ、Ｄｉｓｃａｒｄｉｎｆｏパラメータを変換処理に使用する。
【００２０】
図９は本発明の無線端末のブロック図である。無線端末１０は、ＣＰＵ１０１、メモリ１０２、ＲＯＭ制御部１０３、ＲＯＭ１０４，入出力制御部１０５及び無線リンク終端処理部１０６を含む。なお、ＣＰＵ１０１、メモリ１０２、ＲＯＭ制御部１０３、入出力制御部１０５及び無線リンク終端処理部１０６は、内部バス１０７によって相互に接続されている。
【００２１】
ＣＰＵ１０１は、メモリ１０２に記憶されているプログラムを実行することによって各種処理を行う。
【００２２】
メモリ１０２は、例えば、半導体メモリ等で構成され、各種情報を記憶する。例えば、メモリ１０２は、ＯＳ（図示省略）及び変換処理プログラムＡ１１０を記憶している。ＲＯＭ１０４は、例えば、磁気ディスクや半導体メモリ等で構成され、各種情報を記憶する。ＲＯＭ制御部１０３は、ＲＯＭ１０４への情報の読み書きを制御する。
【００２３】
入出力制御部１０５は、例えば、入力キー又はディスプレイ等の入出力部に接続されている。そして、入出力制御部１０６は、接続されている入出力部に対して、各種情報を入出力する。
【００２４】
無線リンク終端処理部１０６は、無線リンクを介して基地局２０と通信する。
図１０は本発明の基地局のブロック図である。基地局２０は、ＣＰＵ２０１、メモリ２０２、ディスク制御部２０３、ディスク２０４，入出力制御部２０５、メモリＲ／Ｗ制御部２０６、無線リンク終端処理部２０７及び有線リンク終端処理部２０８を含む。なお、ＣＰＵ２０１、メモリ２０２、ディスク制御部２０３、入出力制御部２０５、メモリＲ／Ｗ制御部２０６及び有線リンク終端処理部２０８は、内部バス２１０によって相互に接続されている。
【００２５】
ＣＰＵ２０１は、メモリ２０２に記憶されているプログラムを実行することによって各種処理を行う。
【００２６】
メモリ２０２は、例えば、半導体メモリ等で構成され、各種情報を記憶する。例えば、メモリ２０２は、ＯＳ（図示省略）、変換処理プログラムＢ２１０及びＩＤ対応付けテーブル２２０を記憶している。ディスク２０４は、例えば、磁気ディスクや半導体メモリ等で構成され、各種情報を記憶する。ディスク制御部２０３は、ディスク２０４への情報の読み書きを制御する。
【００２７】
入出力制御部２０５は、例えば、コンソールの入出力部に接続されている。そして、入出力制御部２０５は、接続されている入出力部に対して、各種情報を入出力する。
【００２８】
メモリＲ／Ｗ制御部２０６はメモリ２０２と無線リンク終端処理部２０７との間の情報の読み書きを制御する。
無線リンク終端処理部２０７は、無線リンクを介して基地局２０と通信する。
【００２９】
有線リンク終端処理部２０８は、有線リンクを介して基地局制御装置３０と通信する。
図１１は、基地局２０のＩＤ対応付けテーブル２２０の構成図である。ＩＤ対応付けテーブル２２０は、端末ＩＤ２２０１およびセッションＩＤ２２０２の各記憶領域を同一アアドレスに含む。
【００３０】
次に、本発明の変換処理プログラムＡ、メモリＲ／Ｗ制御部及び変換処理プログラムＢの処理フローを説明する。
【００３１】
図１２は、無線端末１０の変換処理プログラムＡ１１０の、変換処理Ａ１の処理フローである。
【００３２】
変換処理プログラムＡ１１０は、アプリケーションプログラムからの入力を待つ（Ｆ１０）。変換処理プログラムＡ１１０は、アプリケーションから命令またはデータを受信する（Ｆ１１）。変換処理プログラムＡ１１０は、受信命令またはデータをメッセージＡに変換する（Ｆ１２）。変換処理プログラムＡ１１０は、メッセージＡをＤａｔａパラメータとして設定し、ＲＬＣ−ＡＭ−ＤＡＴＡ−Ｒｅｑ．（Ｄａｔａ＝Ａ）プリミティブを起動する（Ｆ１３）。
【００３３】
図１３は、無線端末１０の変換処理プログラムＡ１１０の、変換処理Ａ２の処理フローである。
【００３４】
変換処理プログラムＡ１１０は、無線リンク制御処理からの入力を待つ（Ｆ２０）。変換処理プログラムＡ１１０は、無線リンク制御処理からプリミティブを受信する（Ｆ２１）。変換処理プログラムＡ１１０は、受信したプリミティブがＲＬＣ−ＡＭ−ＤＡＴＡ−Ｃｏｎｆ．プリミティブであれば、ＳｔａｔｕｓとＭＵＩパラメータをメッセージＡに変換し、受信したプリミティブがＲＬＣ−ＡＭ−ＤＡＴＡ−Ｉｎｄ．であれば、ＤａｔａとＤｉｓｃａｒｄｉｎｆｏパラメータをメッセージＡに変換する（Ｆ２２）。変換処理プログラムＡ１１０は、メッセージＡをアプリケーションプログラムに渡す（Ｆ２３）。
【００３５】
図１４は、基地局２０のメモリＲ／Ｗ制御部２０６の処理フローである。
【００３６】
メモリＲ／Ｗ制御部２０６は、無線リンク終端処理部２０７からプリミティブを受信する（Ｆ３０）。メモリＲ／Ｗ制御部２０６は、無線リンク終端処理部２０７から端末ＩＤを読み出す（Ｆ３１）。端末ＩＤは無線リンク制御処理のＳＨＣＣＨチャネルで運ばれるＵＥ ｉｄｅｎｔｉｆｉｃａｔｉｏｎ情報である。メモリＲ／Ｗ制御部２０６は、プリミティブ情報をメモリ２０２に書き込み、また端末ＩＤをテーブル２２０に書き込む（Ｆ３２）。メモリＲ／Ｗ制御部２０６は、変換処理プログラムＢ２１０に、プリミティブ受信及び端末ＩＤ記憶領域アドレスを通知する。
【００３７】
図１５は、基地局２０の変換処理プログラムＢ２１０の、変換処理Ｂ１の処理フローである。
【００３８】
変換処理プログラムＢ２１０は、ＴＣＰ処理からの入力を待つ（Ｆ４０）。変換処理プログラムＢ２１０は、ＴＣＰ処理から応答またはデータを受信する（Ｆ４１）。変換処理プログラムＢ２１０は、受信応答またはデータをメッセージＡに変換する（Ｆ４２）。変換処理プログラムＢ２１０は、メッセージＡからセッションＩＤを読み出す（Ｆ４３）。セッションＩＤは、ＴＣＰ処理の応答に含まれるローカルポート番号である。変換処理プログラムＢ２１０は、テーブル２２０のセッションＩＤの記憶領域のアドレスから端末ＩＤを読み出す（Ｆ４４）。変換処理プログラムＢ２１０は、メッセージＡをＤａｔａパラメータとして設定し、ＲＬＣ−ＡＭ−ＤＡＴＡ−Ｒｅｑ．（Ｄａｔａ＝Ａ）プリミティブを起動し、端末ＩＤと共に無線リンク制御処理に入力する（Ｆ４５）。
【００３９】
図１６は、基地局２０の変換処理プログラムＢ２１０の、変換処理Ｂ２の処理フローである。
【００４０】
変換処理プログラムＢ２１０は、メモリＲ／Ｗ制御部２０６からのＦ３３の通知を待つ（Ｆ５０）。変換処理プログラムＢ２１０は、メモリＲ／Ｗ制御部２０６からＦ３３の通知を受ける（Ｆ５１）。この通知には、通信してきた無線端末１０の端末ＩＤの記憶領域アドレスが含まれる。変換処理プログラムＢ２１０は、受信したプリミティブがＲＬＣ−ＡＭ−ＤＡＴＡ−Ｉｎｄ．プリミティブか判定する（Ｆ６２）。変換処理プログラムＢ２１０は、判定結果がＹＥＳであれば、Ｄａｔａパラメータの内容をメッセージＡに設定する（Ｆ５３）。変換処理プログラムＢ２１０は、メッセージＡをＴＣＰ処理に入力する（Ｆ５４）。変換処理プログラムＢ２１０は、メッセージＡからセッションＩＤを読み出す（Ｆ５５）。変換処理プログラムＢ２１０は、ＩＤ対応付けテーブル２２０の通知された端末ＩＤの記憶領域アドレスにセッションＩＤを書き込む（Ｆ５６）。
【００４１】
本実施の形態では、無線端末１０と基地局２０の間を無線リンクのＭＡＣレイヤの再送制御のみとし上位レイヤの再送制御を省いているので、無線リンクでのデータロスに対するセグメント再送区間が最適化される。
【図面の簡単な説明】
【００４２】
【図１】無線ネットワークシステムとインターネット及びアプリケーションサーバのブロック図である。
【図２】データ転送のプロトコルスタック図である。
【図３】データ転送のシーケンス図である。
【図４】アプリケーション処理とＴＣＰ処理の間のインタフェース規定図である。
【図５】対向するプロトコルエンティティ間が通信をして隣接する上位プロトコルエンティティにサービスを提供するプリミティブ規定図である。
【図６】無線端末のプロトコルスタックと基地局のプロトコルスタックにおける命令とデータおよび応答とデータの規定位置を示す図である。
【図７】変換処理Ａのインタフェース規定図である。
【図８】変換処理Ｂのインタフェース規定図である。
【図９】無線端末のブロック図である。
【図１０】基地局のブロック図である。
【図１１】基地局のＩＤ対応付けテーブルの構成図である。
【図１２】無線端末の変換処理プログラムＡの、変換処理Ａ１の処理フローである。
【図１３】無線端末の変換処理プログラムＡの、変換処理Ａ２の処理フローである。
【図１４】基地局のメモリＲ／Ｗ制御部の処理フローである。
【図１５】基地局の変換処理プログラムＢの、変換処理Ｂ１の処理フローである。
【図１６】基地局の変換処理プログラムＢの、変換処理Ｂ２の処理フローである。
【符号の説明】
【００４３】
１０  無線端末
２０  基地局
３０  基地局制御装置
４０  ＩＰノード
５０  ルータ
６０  アプリケーションサーバ
１００  無線ネットワークシステム
１１０  変換処理プログラムＡ
２０６  メモリＲ／Ｗ制御部
２００  インターネット
２１０  変換処理プログラムＢ
２２０  ＩＤ対応付けテーブル。
【図１】
2008098878.tif 000003
【図２】
2008098878.tif 000004
【図３】
2008098878.tif 000005
【図４】
2008098878.tif 000006
【図５】
2008098878.tif 000007
【図６】
2008098878.tif 000008
【図７】
2008098878.tif 000009
【図８】
2008098878.tif 000010
【図９】
2008098878.tif 000011
【図１０】
2008098878.tif 000012
【図１１】
2008098878.tif 000013
【図１２】
2008098878.tif 000014
【図１３】
2008098878.tif 000015
【図１４】
2008098878.tif 000016
【図１５】
2008098878.tif 000017
【図１６】
2008098878.tif 000018